(57)【要約】【課題】本体が薄型、小型であり、携帯に便利である携帯機器用充電器を提供する。【解決手段】下部カバー１２に収納されたバッテリー２３、電子部品基板ユニット２５と、バッテリー２３および電子部品基板ユニット２５を覆うように下部カバー１２と結合され、電子部品基板ユニット２５の電子部品２６と対向する部分に逃げ孔４６を有する上部カバー１３と、上部カバー１３に固定され、上面に受光面４７を有する太陽電池パネル４８と、バッテリー２３および電子部品基板ユニット２５と積層されない位置で、前記バッテリー２３に接続され、携帯機器の充電端子と接続可能な充電コネクタ２９とを具備したことを特徴とする。【選択図】      図１
2009189081.tif 000002
【特許請求の範囲】
【請求項１】
下部カバーと、
前記下部カバーに収納されたバッテリーおよびこのバッテリーに積層された電子部品基板ユニットと、
前記バッテリーおよび電子部品基板ユニットを覆うように前記下部カバーと結合され、前記電子部品基板ユニットの電子部品と対向する部分に逃げ孔を有する上部カバーと、
前記上部カバーに固定され、上面に受光面を有する太陽電池パネルと、
前記バッテリーおよび電子部品基板ユニットと積層されない位置で、前記バッテリーに接続され、携帯機器の充電端子と接続可能な充電コネクタと、
を具備したことを特徴とする携帯機器用充電器。
【請求項２】
下部カバーと、
前記下部カバーに収納されたバッテリーおよびこのバッテリーに積層された電子部品基板ユニットと、
前記バッテリーおよび電子部品基板ユニットを覆うように前記下部カバーと結合され、前記電子部品基板ユニットの電子部品と対向する部分に逃げ孔を有する上部カバーと、
前記上部カバーに固定され、上面に受光面を有する太陽電池パネルと、
前記バッテリーおよび電子部品基板ユニットと積層されない位置で、前記バッテリーに接続され、携帯機器の充電端子と接続可能な充電コネクタと、
前記バッテリーおよび電子部品基板ユニットと積層されない位置で、前記バッテリーに接続され、ＡＣ充電コネクタと接続可能なＡＣ充電コネクタ受け部と、
を具備したことを特徴とする携帯機器用充電器。
【請求項３】
前記充電コネクタは、前記バッテリーおよび電子部品基板ユニットを避けた位置で、前記下部カバーと上部カバーとで挟持固定され、前記充電コネクタの前記下部カバーと上部カバーとから突出している部分は開閉可能なコネクタキャップで覆われていることを特徴とする請求項１または２記載の携帯機器用充電器。
【発明の詳細な説明】
【技術分野】
【０００１】
本発明は、太陽電池パネルを備え、太陽光エネルギーを電気エネルギーに変換して内蔵バッテリーに蓄電して携帯電話機等のバッテリーに充電できる携帯機器用充電器に関する。
【背景技術】
【０００２】
携帯機器としての例えば携帯電話機は、本体の内部にバッテリーを備えており、充電が必要になって時には専用のＡＣ充電器を使用してバッテリーに充電することが行なわれている。しかし、専用のＡＣ充電器は嵩張るため、旅行や出張等の外出時にＡＣ充電器を持ち運ぶことは煩雑である。
【０００３】
また、乾電池を内蔵した充電器も市販されているが、乾電池自体に重量があるため、持ち運びに困難であり、最近では、太陽電池パネルを搭載した携帯電話機用充電器が知られている（例えば、特許文献１参照。）。
【０００４】
特許文献１に示す携帯電話機用充電器は、直方体形状のボディの内部にバッテリーを備えるとともに、ボディの表面に太陽電池パネルを装着し、さらにボディの端部に充電コネクタを設けたものである。そして、太陽電池パネルが太陽光エネルギーを受けると、そのエネルギーが電気エネルギーに変換され、ボディの内部のバッテリーに蓄電されるようになっている。したがって、充電コネクタを携帯電話機の充電端子に接続することにより、携帯電話機のバッテリーに充電することができる。
【特許文献１】特許第３５８０８０６号公報
【発明の開示】
【発明が解決しようとする課題】
【０００５】
しかしながら、特許文献１に示す携帯電話機用充電器は、直方体形状のボディのサイズが、幅５０ｍｍ×長さ１７０ｍｍ×厚さ２０ｍｍ前後であり、大型であるとともに、特に長さが長いために携帯に不便である。
【０００６】
本発明は、前記事情に着目してなされたもので、その目的とするところは、本体が薄型、小型であり、携帯に便利であるとともに、必要に応じてＡＣ電源を利用してバッテリーに充電できる携帯機器用充電器を提供することにある。
【課題を解決するための手段】
【０００７】
本発明は、前述した目的を達成するために、請求項１は、下部カバーと、前記下部カバーに収納されたバッテリーおよびこのバッテリーに積層された電子部品基板ユニットと、前記バッテリーおよび電子部品基板ユニットを覆うように前記下部カバーと結合され、前記電子部品基板ユニットの電子部品と対向する部分に逃げ孔を有する上部カバーと、前記上部カバーに固定され、上面に受光面を有する太陽電池パネルと、前記バッテリーおよび電子部品基板ユニットと積層されない位置で、前記バッテリーに接続され、携帯電話機の充電端子と接続可能な充電コネクタとを具備したことを特徴とする携帯機器用充電器にある。
【０００８】
請求項２は、下部カバーと、前記下部カバーに収納されたバッテリーおよびこのバッテリーに積層された電子部品基板ユニットと、前記バッテリーおよび電子部品基板ユニットを覆うように前記下部カバーと結合され、前記電子部品基板ユニットの電子部品と対向する部分に逃げ孔を有する上部カバーと、前記上部カバーに固定され、上面に受光面を有する太陽電池パネルと、前記バッテリーおよび電子部品基板ユニットと積層されない位置で、前記バッテリーに接続され、携帯機器の充電端子と接続可能な充電コネクタと、前記バッテリーおよび電子部品基板ユニットと積層されない位置で、前記バッテリーに接続され、ＡＣ充電コネクタと接続可能なＡＣ充電コネクタ受け部とを具備したことを特徴とする携帯機器用充電器にある。
【０００９】
請求項３は、請求項1または２の前記充電コネクタは、前記バッテリーおよび電子部品基板ユニットを避けた位置で、前記下部カバーと上部カバーとで挟持固定され、前記充電コネクタの前記下部カバーと上部カバーとから突出している部分は開閉可能なコネクタキャップで覆われていることを特徴とする。
【発明の効果】
【００１０】
本発明によれば、バッテリーと電子部品基板ユニットとを積層し、これらと積層されない位置に充電コネクタやＡＣ充電コネクタを配置することにより、本体を薄型、小型に構成でき、携帯に便利であるとともに、携帯電話機等の携帯機器にストラップ式に携帯できるという効果がある。
【００１１】
さらに、本発明は、太陽電池パネルではバッテリーへの充電が不十分の場合にはＡＣ電源を利用して充電できるという効果がある。
【発明を実施するための最良の形態】
【００１２】
以下、本発明の実施の形態を図面に基づいて説明する。
【００１３】
図１は携帯電話機用充電器の分解斜視図で、図２は携帯電話機用充電器の縦断側面図である。図１および図２に示すように、充電器本体１１は合成樹脂材料によって成形された偏平矩形状の下部カバー１２と偏平矩形状の上部カバー１３とから構成されている。下部カバー１２は底面部１４の外周部に周壁１５が一体に設けられている。下部カバー１２の長手方向の両端側における周壁１５の左右内面には段差からなる係合部１６が設けられている。上部カバー１３は上面部１７の外周部に周壁１８が一体に設けられている。上部カバー１３の長手方向の両端側における周壁１８の左右内面には前記係合部１６に対応して係合爪部１９が突設され、下部カバー１２に対して上部カバー１３を位置決めして押圧することにより、係合爪部１９と係合部１６とが弾性係合して下部カバー１２に対して上部カバー１３が結合されるようになっている。
【００１４】
さらに、図３に示すように、下部カバー１２の一端側における底面部１４の隅部には貫通孔２０が設けられ、上部カバー１３の上面部１７の隅部には貫通孔２０に対応してねじ孔２１ａを有するボス２１が設けられている。そして、下部カバー１２の貫通孔２０側から固定ねじ２２を挿入し、上部カバー１３のねじ孔２１ａにねじ込むことにより、下部カバー１２と上部カバー１３とが固定されるようになっている。
【００１５】
図１および図２に示すように、下部カバー１２の内部には矩形状のバッテリー２３が収納され、このバッテリー２３は下部カバー１２の底面部１４から突設された複数個の突起２４によって位置決め固定されている。バッテリー２３の上面にはバッテリー２３の平面形状に略等しい矩形状の電子部品基板ユニット２５が積層されている。電子部品基板ユニット２５の上面、すなわちバッテリー２３と接する面と反対側には複数個の電子部品２６が搭載され、電子部品２６は基板２５ａより突出している。電子部品基板ユニット２５の一側部にはＬＥＤ２７が固定されている。このＬＥＤ２７は充電中を表示するもので、下部カバー１２と上部カバー１３の周壁１５，１８に対応して設けられた切欠部２８から外部に露出している。
【００１６】
電子部品基板ユニット２５の一端側には携帯電話機（図示しない）の充電端子と接続可能な充電コネクタ２９が設けられ、他端側には後述するＡＣ充電コネクタ３０と接続可能な接続端子３１が設けられている。充電コネクタ２９は合成樹脂材料からなるコネクタ本体３２によって保護されており、このコネクタ本体３２は下部カバー１２と上部カバー１３の周壁１５，１８に設けられた嵌合孔３３の係合された状態で充電器本体１１の外部に突出している。
【００１７】
従って、充電コネクタ２９はバッテリー２３および電子部品基板ユニット２５と積層されない位置で、しかも下部カバー１２と上部カバー１３との間に設けられているために、充電コネクタ２９が充電器本体１１の肉厚に影響を及ぼさない薄型構造の設計になっている。
【００１８】
さらに、図４に示すように、充電コネクタ２９の一側部で、下部カバー１２と上部カバー１３の周壁１５，１８における外側面には突出片３４が一体に設けられ、これら突出片３４には互いに対向する枢支ピン３５が一体に突設されている。これら枢支ピン３５には充電コネクタ２９を覆うコネクタキャップ３６が開閉可能に枢支されている。すなわち、コネクタキャップ３６は一側面に開口部を有するボックス形状で、その一端部には枢支ピン３５に回動自在に係合する係合孔３７が設けられている。
【００１９】
コネクタキャップ３６は枢支ピン３５を支点として回動（開閉）自在であり、閉塞時に充電コネクタ２９を覆って保護できるようになっている。さらに、図４〜図６に示すように、コネクタキャップ３６の支点側における角部にはストラップ孔３８が設けられ、ボールチェーン式ストラップ３９もしくはカニカンリング付きストラップ４０を挿通して携帯電話機に吊り下げることができるようになっている。
【００２０】
図２に示すように、前記ＡＣ充電コネクタ３０と接続される接続端子３１はＡＣ充電コネクタ受け部４１によって覆われている。このＡＣ充電コネクタ受け部４１はゴム製の角筒状であり、ＡＣ充電コネクタ３０の端子部３０ａが挿入される挿入孔４２が設けられている。さらに、ＡＣ充電コネクタ受け部４１の外周部には係合リブ４３が設けられ、この係合リブ４３は前記上部カバー１３の周壁１８に設けられた切欠部４４と係合しており、挿入孔４２は充電器本体１１の外部に開口している。
【００２１】
従って、ＡＣ充電コネクタ受け部４１はバッテリー２３および電子部品基板ユニット２５と積層されない位置で、しかも下部カバー１２と上部カバー１３との間に設けられているために、ＡＣ充電コネクタ受け部４１が充電器本体１１の肉厚に影響を及ぼさない薄型構造の設計になっている。
【００２２】
また、前記上部カバー１３の上面にはその略全域に亘って矩形状の凹陥部４５が設けられている。この凹陥部４５の底部には前記電子部品基板ユニット２５の電子部品２６と対向して電子部品２６と嵌合する逃げ孔４６が設けられている。つまり、電子部品基板ユニット２５の上面から上方へ突出して実装されている電子部品２６と上部カバー１３とを逃げ孔４６でオーバーラップさせて充電器本体１１の薄型化を図った設計になっている。
【００２３】
さらに、上部カバー１３の凹陥部４５には受光面４７を上部に向けて太陽電池パネル４８が嵌合され、上部カバー１３に対して接着固定されている。この太陽電池パネル４８はリード線(図示しない)を介して電子部品基板ユニット２５およびバッテリー２３に電気的に接続され、受光面４７が太陽光エネルギーを受けると、そのエネルギーが電気エネルギーに変換され、充電器本体１１内のバッテリー２３に蓄電されるようになっている。
【００２４】
なお、図７に示すように、ＡＣ充電コネクタ３０はコード４９を介してＡＣ接続プラグ５０に接続されてＡＣ充電ユニット５１が構成されており、ＡＣ充電コネクタ３０を接続端子３１に接続し、ＡＣ接続プラグ５０をＡＣコンセントに接続することにより、ＡＣ電源によってバッテリー２３に充電することもできる。
【００２５】
このように構成された携帯電話機用充電器は、充電器本体１１の内部にバッテリー２３、電子部品基板ユニット２５および太陽電池パネル４８が積層状態に収納された構造である。しかも、充電コネクタ２９およびＡＣ充電コネクタ受け部４１はバッテリー２３、電子部品基板ユニット２５および太陽電池パネル４８と積層されない位置で、しかも下部カバー１２と上部カバー１３との間に設けられている。したがって、充電器本体１１の小型化、薄型化を図ることができる。しかも、乾電池を内蔵しないため、軽量であり、ボールチェーン式ストラップ３９もしくはカニカンリング付きストラップ４０を利用して携帯電話機に吊り下げ、携帯に便利である。
【００２６】
前記実施形態においては、携帯電話機について述べたが、携帯電話機に限定されず、パソコン等の携帯機器の充電にも利用できる。
【００２７】
なお、この発明は前記実施形態そのままに限定されるものではなく、実施段階ではその要旨を逸脱しない範囲で構成要素を変形して具体化できる。また、前記実施形態に開示されている複数の構成要素の適宜な組合せにより種々の発明を形成できる。例えば、実施形態に示される全構成要素から幾つかの構成要素を削除してもよい。さらに、異なる実施形態に亘る構成要素を組み合わせてもよい。
【図面の簡単な説明】
【００２８】
【図１】本発明の第１の実施形態を示し、携帯電話機用充電器の分解斜視図。
【図２】同実施形態を示し、携帯電話機用充電器の縦断側面図。
【図３】同実施形態を示し、下部カバーと上部カバーとの結合構造を示す縦断側面図。
【図４】同実施形態を示し、コネクタキャップの取付け構造を示す斜視図。
【図５】同実施形態を示し、携帯電話機用充電器の斜視図。
【図６】同実施形態を示し、携帯電話機用充電器の斜視図。
【図７】同実施形態を示し、ＡＣ充電ユニットの斜視図。
【符号の説明】
【００２９】
１１…充電器本体、１２…下部カバー、１３…上部カバー、２３…バッテリー、２５…電子部品基板ユニット、２６…電子部品、２９…充電コネクタ、４１…ＡＣ充電コネクタ受け部、４６…逃げ孔、４７…受光面、４８…太陽電池パネル
【図１】
2009189081.tif 000003
【図２】
2009189081.tif 000004
【図３】
2009189081.tif 000005
【図４】
2009189081.tif 000006
【図５】
2009189081.tif 000007
【図６】
2009189081.tif 000008
【図７】
2009189081.tif 000009